(57)【要約】【課題】呼気がガスセンサ素子に到達する時間を短縮できると共に、結露水やツバがガスセンサ素子に付着することを抑制する呼気検知器を提供する。【解決手段】呼気センサ１においては、呼気導入孔２１，呼気流路２３，開口部３７，フィルタ１５，ガスセンサ素子１１が、この順に一直線上に並ぶ状態で配置されている。呼気導入孔２１から導入された呼気のうちガスセンサ素子１１に到達する呼気の進行経路は一直線状となるため、呼気の進行経路が折れ曲がる態様の呼気センサに比べて、呼気がガスセンサ素子１１に到達する時間を短縮できる。呼気センサ１は、第１排出口３５ａ、第２排出口３５ｂ、排出流路２７を備えるため、呼気流路２３のうち開口部３７の近接領域にたまった結露水やツバなどは筐体１３の外部に排出される。これにより、フィルタ１５の目詰まりを抑制でき、呼気がガスセンサ素子１１に到達し易くなる。【選択図】図２
2015219148.tif 000002
【特許請求の範囲】
【請求項１】
呼気に含まれる特定ガス成分を検知するガスセンサ素子と、
前記呼気を自身の内部に導入する呼気導入孔を有すると共に、前記ガスセンサ素子を内部に収容する筐体と、
を備える呼気検知器であって、
前記筐体は、
前記呼気導入孔から導入された前記呼気が進行する呼気流路と、
前記ガスセンサ素子を収容する空間を形成すると共に、前記呼気流路から前記呼気を前記空間に導入するための開口部を有する素子収容部と、
前記呼気流路と前記筐体の外表面に形成された排出口とを繋ぐ排出流路と、
を備えており、
前記素子収容部の前記開口部には、前記呼気の透過を許容し、水分の透過を制限するフィルタ部が、前記開口部を覆うように設けられており、
前記呼気導入孔は、前記呼気を通過させる筒状の呼気通過部材が着脱可能に構成されており、
前記呼気導入孔，前記呼気流路，前記フィルタ部，前記ガスセンサ素子は、この順に一直線上に並ぶ状態で配置されていること、
を特徴とする呼気検知器。
【請求項２】
前記排出口は、少なくとも１個備えられ、
当該呼気検知器の使用状況下において、前記排出口のうち少なくとも１つは、前記筐体のうち鉛直方向下側に配置されること、
を特徴とする請求項１に記載の呼気検知器。
【請求項３】
前記呼気導入孔および前記開口部のそれぞれの形成位置および形状は、前記呼気導入孔から前記ガスセンサ素子に向かう前記呼気の進行方向に投影したときに、一方の全体が他方の一部に重なる、あるいは、両者の大きさおよび形状が同じで完全に重なるように定められること、
を特徴とする請求項１または請求項２に記載の呼気検知器。
【発明の詳細な説明】
【技術分野】
【０００１】
本発明は、呼気に含まれる特定ガス成分を検知する呼気検知器に関する。
【背景技術】
【０００２】
呼気に含まれる特定ガス成分（例えばアルコール）を検知する呼気検知器としては、呼気に含まれる特定ガス成分を検知するガスセンサ素子と、呼気を自身の内部に導入する呼気導入孔（取込口）を有すると共にガスセンサ素子を内部に収容する筐体（器体）と、を備えるものがある（特許文献１）。
【０００３】
この呼気検知器においては、ガスセンサ素子がセンサ筐体に収容された状態で、筐体の内部に配置されている。そして、この呼気検知器は、取入口から筐体の内部に取り込まれた呼気を、センサ筐体内部に収容したガスセンサ素子に接触させることで、特定ガス成分を検知するよう構成されている。
【０００４】
また、呼気検知器における呼気の導入態様としては、筐体に設けられた呼気導入孔に対して被験者が呼気を吹き掛ける態様（特許文献１）や、筒状の部材を用いて被験者が呼気を吹き込む態様（特許文献２）などが挙げられる。
【先行技術文献】
【特許文献】
【０００５】
【特許文献１】特開２００１−１９０５２３号公報
【特許文献２】特開２００７−１２１０４８号公報
【発明の概要】
【発明が解決しようとする課題】
【０００６】
しかし、上記の呼気検知器では、呼気導入孔から導入された呼気は、直線状の経路のみを進行してガスセンサ素子に到達するのではなく、少なくともセンサ筐体の金網を通過する箇所で折れ曲がる経路を進行してガスセンサ素子に到達する構成である。
【０００７】
このように呼気導入孔からガスセンサ素子までの経路が折れ曲がる経路を含む場合、呼気が直線状の経路のみを進行する場合に比べて、ガスセンサ素子に届くまでに時間を要するという問題が生じる。そのため、特定ガス成分の検知に関する応答性が低下するおそれがある。
【０００８】
これに対して、呼気導入孔とガスセンサ素子とを近接させることで、呼気がガスセンサ素子に到達するまでの時間を短縮できるが、呼気導入孔からガスセンサ素子までの距離が短くなると、結露水やツバなどがガスセンサ素子に付着しやすくなり、それに伴うガスセンサ素子の破損を招く虞がある。
【０００９】
そこで、本発明は、呼気がガスセンサ素子に到達する時間を短縮できると共に、結露水やツバがガスセンサ素子に付着することを抑制する呼気検知器を提供することを目的とする。
【課題を解決するための手段】
【００１０】
本発明の第１の局面における呼気検知器は、呼気に含まれる特定ガス成分を検知するガスセンサ素子と、呼気を自身の内部に導入する呼気導入孔を有すると共に、ガスセンサ素子を内部に収容する筐体と、を備えており、筐体は、呼気流路と、素子収容部と、排出流路と、を備える。
【００１１】
呼気流路は、呼気導入孔から導入された呼気が進行する流路である。素子収容部は、ガスセンサ素子を収容する空間を形成すると共に、呼気流路から呼気を空間に導入するための開口部を有する。排出流路は、呼気流路と筐体の外表面に形成された排出口とを繋ぐ流路である。
【００１２】
素子収容部の開口部には、呼気の透過を許容し、水分の透過を制限するフィルタ部が、開口部を覆うように設けられている。呼気導入孔は、呼気を通過させる筒状の呼気通過部材が着脱可能に構成されている。
【００１３】
呼気導入孔，呼気流路，フィルタ部，ガスセンサ素子は、この順に一直線上に並ぶ状態で配置されている。
このような構成であれば、呼気導入孔から導入された呼気のうちガスセンサ素子に到達する呼気の進行経路は一直線状となる。つまり、呼気の進行経路が折れ曲がる態様に比べて、この呼気検出器は、呼気がガスセンサ素子に到達する時間を短縮できる。
【００１４】
また、この呼気検知器は、呼気導入孔が呼気通過部材を着脱可能な構成であることから、呼気を取り込む態様として、被験者が呼気導入孔に対して直接呼気を吹き掛ける態様（吹き掛け態様）のみならず、被験者が筒状の呼気通過部材を介して呼気導入孔に呼気を吹き込む態様（吹き込み態様）を実現することができる。
【００１５】
なお、筐体に呼気導入孔を２個備えて、そのうち一方が呼気を直接吹き掛けるための呼気導入孔として備えられ、他方が呼気通過部材を介して呼気を吹き込むための呼気導入孔として備えられるように、呼気検出器を形成することもできる。しかし、２個の呼気導入孔を設けた場合、いずれか一方の呼気導入孔は、ガスセンサ素子までの呼気の進行経路が折れ曲がり箇所を含む構成となる。
【００１６】
これに対して、本発明の呼気検知器は、吹き掛け態様と吹き込み態様とのいずれの態様であっても、呼気導入孔からガスセンサ素子までの呼気の進行経路が一直線状となるため、呼気がガスセンサ素子に到達する時間を短縮できる。
【００１７】
また、この呼気検出器は、フィルタ部を備えることから、結露水やツバが素子収容部の内部に侵入することを抑制でき、結露水やツバがガスセンサ素子に付着することを抑制できる。
【００１８】
さらに、この呼気検出器は、呼気流路と排出口とを繋ぐ排出流路を備えることで、呼気導入孔から導入された呼気のうち少なくとも一部を排出流路を通じて排出口から筐体の外部に排出できる。このとき、呼気流路のうち開口部（またはフィルタ部）の近接領域にたまった結露水やツバなどは、呼気と共に排出流路を進行することになり、結露水やツバなどは筐体の外部に排出される。これにより、結露水やツバなどによるフィルタ部の目詰まりを抑制でき、呼気がガスセンサ素子に到達し易くなる。
【００１９】
よって、本発明の呼気検知器によれば、呼気がガスセンサ素子に到達する時間を短縮できると共に、結露水やツバがガスセンサ素子に付着することを抑制できる。さらに、この呼気検知器によれば、呼気がガスセンサ素子に到達し易くなることで、呼気に含まれる特定ガス成分の検出精度を向上できる。
【００２０】
本発明の他の局面における呼気検知器においては、排出口は、少なくとも１個備えられており、呼気検知器の使用状況下において、排出口のうち少なくとも１つは、筐体のうち鉛直方向下側に配置されてもよい。
【００２１】
このような構成であれば、呼気流路にたまった結露水やツバなどは、呼気の移動による影響のみならず、重力によっても鉛直方向下向きに移動し易くなる。このため、呼気流路にたまった結露水やツバなどを、より一層、排出口を介して筐体の外部に排出することが容易となる。
【００２２】
よって、本発明の呼気検知器によれば、結露水やツバがガスセンサ素子に付着することを抑制できると共に、フィルタ部の目詰まりを抑制できる。なお、このような構成の呼気検知器としては、使用者が、呼気検知器（筐体）を立てて、呼気導入孔が水平方向を向く姿勢で使用する場合に、呼気導入孔、呼気流路、フィルタ部、ガスセンサ素子が、水平方向に沿ってこの順に一直線上に並んで配置されると共に、排出口が鉛直方向下側に配置されるように筐体に設けられる態様を例示することができる。
【００２３】
本発明のさらに他の局面における呼気検知器においては、呼気導入孔および開口部のそれぞれの形成位置および形状は、呼気導入孔からガスセンサ素子に向かう呼気の進行方向に投影したときに、一方の全体が他方の一部に重なる、あるいは、両者の大きさおよび形状が同じで完全に重なるように定められてもよい。
【００２４】
このような構成であれば、呼気導入孔と開口部との重なり領域を大きく確保できるため、重なり領域が小さい場合に比べて、呼気導入孔から導入された呼気のうち開口部を介して素子収容部に導入される呼気の量を多く確保できる。
【００２５】
これにより、より多くの呼気がガスセンサ素子に到達し易くなり、呼気に含まれる特定ガス成分の検出精度を向上できる。
【発明の効果】
【００２６】
本発明の呼気検知器によれば、呼気がガスセンサ素子に到達する時間を短縮できると共に、結露水やツバがガスセンサ素子に付着することを抑制できる。
【図面の簡単な説明】
【００２７】
【図１】呼気センサの外観を表す斜視図である。
【図２】呼気センサの内部構造を拡大して表した端面図であり、図１の呼気センサにおけるＡ−Ａ視端面を表す端面図である。
【図３】呼気導入孔の装着部からストロー部材を取り外した状態の呼気センサ１の拡大端面図である。
【図４】呼気センサを備える管理システムの概略構成を表した説明図である。
【図５】第２呼気センサにおける呼気導入孔および開口部の内部構成を表した端面図である。
【図６】換気口を有する素子収容部を備える第３呼気センサの内部構成を表した端面図である。
【発明を実施するための形態】
【００２８】
以下、本発明が適用された実施形態について、図面を用いて説明する。
なお、以下に示す実施形態では、呼気中の特定ガス成分を検知する呼気センサ１を例に挙げて説明する。
【００２９】
［１．第１実施形態］
［１−１．全体構成］
本実施形態の呼気センサ１の全体構成について、図１および図２に基づいて説明する。
【００３０】
図１は、呼気センサ１の外観を表す斜視図である。図２は、呼気センサ１の内部構造を拡大して表した端面図であり、図１の呼気センサ１におけるＡ−Ａ視端面を表す端面図である。なお、図２では、呼気センサ１の上下方向における中央部分を省略している。
【００３１】
呼気センサ１は、手軽に持ち運びが可能で、呼気中の特定ガス成分（具体的にはアルコール）を検知する携帯用アルコールセンサである。
呼気センサ１は、ガスセンサ素子１１、筐体１３，フィルタ１５、配線基板１７、ケーブル１９などを備えて構成されている。
【００３２】
ガスセンサ素子１１は、呼気中のアルコールを検知する素子であり、金属酸化物半導体（例えば酸化スズ）を材料として形成された半導体素子を備える。この半導体素子は、所定の温度まで加熱されて活性化状態になることで、周囲のアルコール濃度に応じて電気抵抗値が変動する。ガスセンサ素子１１は、筐体１３の内部のうち、後述する素子収容部２５に配置される。
【００３３】
筐体１３は、呼気導入孔２１と、呼気流路２３と、素子収容部２５と、排出流路２７と、を備える。
呼気導入孔２１は、呼気を筐体１３の内部に導入するための孔であり、筐体１３の厚さ方向に貫通する態様で形成されている。呼気導入孔２１は、筐体１３の外表面において、筒状のストロー部材３１を装着するための装着部３３を備えている。
【００３４】
なお、図３は、呼気導入孔２１の装着部３３からストロー部材３１を取り外した状態の呼気センサ１の拡大端面図である。図３に示すように、装着部３３の内径寸法と、ストロー部材３１の外径寸法とは、ストロー部材３１が着脱可能となるように適宜の寸法に設定されている。
【００３５】
呼気流路２３は、筐体１３の内部空間のうち呼気導入孔２１に繋がる内部空間の一部であり、呼気導入孔２１から導入された呼気が進行する流路である。
なお、筐体１３の内部空間のうち呼気導入孔２１に繋がる内部空間は、呼気流路２３および排出流路２７を形成する。この内部空間のうち、図２に示す第１領域Ｒ１が呼気流路２３であり、図２に示す２つの第２領域Ｒ２が排出流路２７である。
【００３６】
排出流路２７は、第１排出流路２７ａと、第２排出流路２７ｂと、を備える。
第１排出流路２７ａは、呼気流路２３と第１排出口３５ａとを繋いでいる。第１排出口３５ａは、筐体１３の外表面のうち第１面４１に形成されている。第２排出流路２７ｂは、呼気流路２３と第２排出口３５ｂとを繋いでいる。第２排出口３５ｂは、筐体１３の外表面のうち第２面４３に形成されている。
【００３７】
素子収容部２５は、ガスセンサ素子１１を収容する空間を形成する。また、素子収容部２５は、呼気流路２３から呼気を内部に導入するための開口部３７を有する。
素子収容部２５の開口部３７には、この開口部３７を覆うようにフィルタ１５が設けられている。フィルタ１５は、呼気の透過を許容し、水分（水滴）の透過を制限する材料（例えば、ＰＴＦＥ）で形成されている。
【００３８】
素子収容部２５の内部には、ガスセンサ素子１１が搭載された配線基板１７が配置されている。配線基板１７は、矩形板状であり、自身の主面上にガスセンサ素子１１のほか、図示しない回路部品を搭載している。なお、ガスセンサ素子１１としては、半導体素子が配線基板１７に直接実装されているタイプであってもよいし、ガスセンサ素子１１と配線基板１７との間を電気的に接続する中継部品を介して実装されていても良い。
【００３９】
配線基板１７は、ガスセンサ素子１１が開口部３７に対向するように、素子収容部２５の内部で保持されている。
つまり、図２および図３に示すように、呼気導入孔２１，呼気流路２３，開口部３７，フィルタ１５，ガスセンサ素子１１は、この順に一直線上に並ぶ状態で配置されている。なお、ガスセンサ素子１１の構成が半導体素子をセンサ筐体で覆うような構成である場合には、センサ筐体の開口を含めて、呼気導入孔２１，呼気流路２３，開口部３７、ガスセンサ素子１１が、この順に一直線上に並ぶようにすればよい。
【００４０】
また、呼気導入孔２１および開口部３７のそれぞれの形成位置および形状は、呼気導入孔２１からガスセンサ素子１１に向かう呼気の進行方向に投影したときに、呼気導入孔２１および開口部３７のそれぞれの大きさおよび形状が同じで完全に重なるように定められている。
【００４１】
ケーブル１９は、呼気センサ１（詳細には、配線基板１７）を後述する外部機器６１（図４参照。）と接続するためのケーブルである。ケーブル１９は、一端が配線基板１７に接続されており、他端には外部機器６１への接続用のコネクタ１９ａ（図４参照）が備えられる。
【００４２】
ケーブル１９のコネクタ１９ａを外部機器６１に接続することで、呼気センサ１（詳細には、配線基板１７）と外部機器６１との間で各種情報の送受信が可能となる。例えば、呼気センサ１（詳細には、配線基板１７）から外部機器６１に対して、呼気に含まれる特定ガス成分の検出結果に関する情報などを送信することができる。
【００４３】
［１−２．使用形態］
次に、呼気センサ１の使用形態について説明する。
ここでは、運送会社の運送車両を運転して業務を行う運送業務従事者を管理するための管理システム６０において、アルコール検知器として呼気センサ１を使用する事例について説明する。
【００４４】
管理システム６０は、運送業務従事者に関する勤怠情報や運転可否情報など管理するためのシステムである。図４は、管理システム６０の概略構成を表した説明図である。
図４に示すように、管理システム６０は、呼気センサ１と、外部機器６１と、管理装置７１と、を備える。
【００４５】
呼気センサ１は、運送車両毎あるいは運送業務従事者に割り当てられており、運送車両に搭載されるか、あるいは、運送業務従事中の運送業務従事者によって携帯される。
外部機器６１は、携帯電話の通信網を介して音声通話およびデータ通信を行う機能を有するいわゆるスマートフォンである。外部機器６１は、カメラ６３と、表示器６５と、を備えている。なお、外部機器６１は、運送業務従事者毎に割り当てられており、運送業務従事中の運送業務従事者によって携帯される。
【００４６】
管理装置７１は、外部機器６１から送信されるメールを受信することにより、運送業務従事者の出退勤を示す情報や運転業務従事者のアルコール濃度に関する情報を取得し、運送業務従事者毎に管理するための情報を作成する。管理装置７１は、表示装置７３と、キーボード７５と、マウス７７と、を備える。
【００４７】
そして、運送業務従事者の飲酒検査（アルコール検査）を行う場合には、呼気センサ１は、外部機器６１と接続された後、被験者である運送業務従事者の呼気が呼気導入孔２１に導入されることで、導入された呼気に含まれるアルコール濃度を検出する。
【００４８】
検査時には、被験者（運送業務従事者）に、外部機器６１のカメラ機能を用いて被験者が呼気センサ１に呼気を吹き込んでいる検査状況を撮影させて、その撮影画像をアルコール検査結果に関する情報と共に、管理装置７１に対して送信させる。このとき、撮影画像に被験者の顔および呼気センサ１が含まれるように撮影させることで、管理装置７１において、アルコール検査時に被験者本人ではない他人の呼気を呼気センサ１に吹き込むなどの不正行為が行われたか否かを判断することが可能となる。
【００４９】
このようにして検査状況を撮影する場合には、呼気センサ１の呼気導入孔２１（あるいはストロー部材３１）が被験者（使用者）の口の前に配置されるように、被験者は、呼気センサ１を保持する。つまり、呼気センサ１は、使用状況下においては、第１面４１が鉛直方向上側となり、第２面４３が鉛直方向下側となる状態で、被験者により保持される。なお、呼気導入孔２１は、上記使用状態下においては水平方向を向くことになる。
【００５０】
このため、呼気センサ１に備えられる複数の排出口（第１排出口３５ａおよび第２排出口３５ｂ）のうち第２排出口３５ｂは、呼気センサ１の使用状況下において、筐体１３の外表面うち鉛直方向下側となる第２面４３に配置されている。
【００５１】
［１−３．効果］
以上説明したように、本実施形態の呼気センサ１においては、呼気導入孔２１，呼気流路２３，開口部３７，フィルタ１５，ガスセンサ素子１１が、この順に一直線上に並ぶ状態で配置されている。
【００５２】
このような構成であれば、呼気導入孔２１から導入された呼気のうちガスセンサ素子１１に到達する呼気の進行経路は一直線状となる。つまり、呼気の進行経路が折れ曲がる態様の呼気センサに比べて、この呼気センサ１は、呼気がガスセンサ素子１１に到達する時間を短縮できる。
【００５３】
また、呼気センサ１は、呼気導入孔２１に装着部３３が形成されており、呼気導入孔２１に対してストロー部材３１を着脱可能に構成されている。このため、呼気センサ１は、呼気を取り込む態様として、被験者が呼気導入孔２１に対して直接呼気を吹き掛ける態様（吹き掛け態様）と、被験者がストロー部材３１を介して呼気導入孔２１に呼気を吹き込む態様（吹き込み態様）と、の２通りの態様を実現することができる。
【００５４】
つまり、呼気センサ１は、吹き掛け態様と吹き込み態様とのいずれの態様であっても、呼気導入孔２１からガスセンサ素子１１までの呼気の進行経路が一直線状となる。
他方、筐体に呼気導入孔を２個備える呼気センサであって、そのうちの一方を吹き掛け態様のための呼気導入孔とし、他方を吹き込み態様のための呼気導入孔として備える呼気センサでは、いずれか一方の呼気導入孔は、ガスセンサ素子までの呼気の進行経路が折れ曲がり箇所を含む構成となる。
【００５５】
このため、本実施形態の呼気センサ１は、筐体に呼気導入孔を２個備える呼気センサに比べて、吹き掛け態様と吹き込み態様とのいずれの態様であっても、呼気導入孔２１からガスセンサ素子１１までの呼気の進行経路が一直線状となるため、呼気がガスセンサ素子１１に到達する時間を短縮できる。
【００５６】
次に、呼気センサ１は、素子収容部２５の開口部３７に、呼気の透過を許容しつつ水分の透過を制限するフィルタ１５を備えることから、結露水やツバが素子収容部２５の内部に侵入することを抑制でき、結露水やツバがガスセンサ素子１１に付着することを抑制できる。
【００５７】
さらに、呼気センサ１は、呼気流路２３と第１排出口３５ａとを繋ぐ第１排出流路２７ａと、呼気流路２３と第２排出口３５ｂとを繋ぐ第２排出流路２７ｂと、を備える。これにより、呼気センサ１は、呼気導入孔２１から導入された呼気のうち少なくとも一部を第１排出流路２７ａまたは第２排出流路２７ｂを通じて第１排出口３５ａまたは第２排出口３５ｂから筐体１３の外部に排出できる。
【００５８】
このとき、呼気流路２３のうち開口部３７（またはフィルタ１５）の近接領域にたまった結露水やツバなどは、呼気と共に排出流路２７を進行することになり、結露水やツバなどは筐体１３の外部に排出される。これにより、結露水やツバなどによるフィルタ１５の目詰まりを抑制でき、呼気がガスセンサ素子１１に到達し易くなる。
【００５９】
よって、本実施形態の呼気センサ１によれば、呼気がガスセンサ素子１１に到達する時間を短縮できると共に、結露水やツバがガスセンサ素子１１に付着することを抑制できる。さらに、呼気センサ１によれば、呼気がガスセンサ素子１１に到達し易くなることで、呼気に含まれるアルコールの検出精度を向上できる。
【００６０】
次に、呼気センサ１においては、複数の排出口（第１排出口３５ａおよび第２排出口３５ｂ）のうち第２排出口３５ｂは、呼気センサ１の使用状況下において、筐体１３の外表面のうち鉛直方向下側となる第２面４３に配置されている。
【００６１】
このような構成であれば、呼気流路２３にたまった結露水やツバなどは、呼気の移動による影響のみならず、重力によっても鉛直方向下向きに移動し易くなる。このため、呼気流路２３にたまった結露水やツバなどを、より一層、第２排出口３５ｂを介して筐体１３の外部に排出することが容易となる。
【００６２】
よって、呼気センサ１によれば、結露水やツバがガスセンサ素子１１に付着することを抑制できると共に、フィルタ１５の目詰まりを抑制できる。
次に、呼気センサ１においては、呼気導入孔２１および開口部３７のそれぞれの形成位置および形状は、呼気導入孔２１からガスセンサ素子１１に向かう呼気の進行方向に投影したときに、呼気導入孔２１および開口部３７のそれぞれの大きさおよび形状が同じで完全に重なるように定められている。
【００６３】
このような構成であれば、呼気導入孔２１と開口部３７との重なり領域を大きく確保できるため、重なり領域が小さい場合に比べて、呼気導入孔２１から導入された呼気のうち開口部３７を介して素子収容部２５に導入される呼気の量を多く確保できる。
【００６４】
これにより、より多くの呼気がガスセンサ素子１１に到達し易くなり、呼気に含まれるアルコールの検出精度を向上できる。
なお、本実施形態の呼気センサ１では、ケーブル１９を配線基板１７に固定して接続しているため、呼気センサ１からケーブル１９を取り外すことができない。このため、呼気センサ１の不使用時に、ケーブル１９が単独で紛失するのを防ぐことができる。
【００６５】
［１−４．特許請求の範囲との対応関係］
ここで、特許請求の範囲と本実施形態とにおける文言の対応関係について説明する。
呼気センサ１が呼気検知器の一例に相当し、ガスセンサ素子１１がガスセンサ素子の一例に相当し、筐体１３が筐体の一例に相当する。
【００６６】
呼気流路２３が呼気流路の一例に相当し、素子収容部２５が素子収容部の一例に相当し、開口部３７が開口部の一例に相当し、排出流路２７（第１排出流路２７ａ、第２排出流路２７ｂ）が排出流路の一例に相当し、第１排出口３５ａおよび第２排出口３５ｂが排出口の一例に相当する。
【００６７】
フィルタ１５がフィルタ部の一例に相当し、ストロー部材３１が呼気通過部材の一例に相当する。
［２．他の実施形態］
以上、本発明の実施形態について説明したが、本発明は上記実施形態に限定されるものではなく、本発明の要旨を逸脱しない範囲において、様々な態様にて実施することが可能である。
【００６８】
例えば、上記実施形態では、呼気導入孔および開口部は、呼気の進行方向に投影したときに、それぞれの大きさおよび形状が同じで完全に重なる構成であるが、このような構成に限られることはない。具体的には、図５に示す第２呼気センサ１０１のように、第２素子収容部１２５の第２開口部１３７が呼気導入孔２１よりも小さい構成の第２筐体１１３を備える構成であっても良い。つまり、呼気導入孔２１および第２開口部１３７のそれぞれの形成位置および形状は、呼気導入孔２１からガスセンサ素子１１に向かう呼気の進行方向に投影したときに、第２開口部１３７の全体が呼気導入孔２１の一部に重なる構成である。
【００６９】
このような構成であれば、呼気導入孔２１と第２開口部１３７との重なり領域を大きく確保できるため、呼気導入孔と開口部とが重ならない構成（重なり領域が小さい構成）に比べて、呼気導入孔２１から導入された呼気のうち第２開口部１３７を介して第２素子収容部１２５に導入される呼気の量を多く確保できる。
【００７０】
これにより、第２呼気センサ１０１においては、より多くの呼気がガスセンサ素子１１に到達し易くなり、呼気に含まれる特定ガス成分の検出精度を向上できる。なお、呼気導入孔の全体が開口部の一部に重なる構成であっても良い。
【００７１】
また、図６に示す第３呼気センサ２０１のように、第３素子収容部２２５が、自身の内部に存在する気体を第３筐体２１３の外部に排出するための換気口２２６を備えても良い。このような換気口２２６を備えることで、第３素子収容部２２５に呼気を導入する際に、第３素子収容部２２５の内部に存在していた気体を第３筐体２１３の外部に排出することができ、早期に呼気を第３素子収容部２２５に導入することが可能となる。これにより、第３呼気センサ２０１は、呼気がガスセンサ素子１１に到達する時間を短縮できる。
【００７２】
さらに、上記実施形態では、呼気センサ１が接続される外部機器がスマートフォンである形態について説明したが、外部機器はスマートフォンに限られることはない。外部機器は、呼気センサ１と接続されてアルコール検出が可能なものであればよく、例えば、携帯電話、タブレット端末、パソコンなどで構成しても良い。また、外部機器は、カメラ付きの構成に限られることはなく、カメラ無しの構成であっても良い。
【００７３】
また、ケーブルは、各種情報の送受信を行う情報伝達経路としての機能のみを備えるものに限られることはない。例えば、ケーブルは、情報伝達経路としての機能に加えて、外部機器から呼気センサに対して電力供給を行うことが可能な電力供給経路としての機能を備える構成であってもよい。さらに、上記実施形態では、呼気センサ１によって検出する呼気中の特定ガス成分をアルコールとしたが、検出対象となる特定ガス成分はアルコールに限定されず、ガスセンサ素子１１（半導体素子）の金属酸化物半導体の材料を適宜変更して、呼気中のアセトンやＣＯを検出するようにしてもよい。
【符号の説明】
【００７４】
１…呼気センサ、１１…ガスセンサ素子、１３…筐体、１５…フィルタ、１７…配線基板、１９…ケーブル、２１…呼気導入孔、２３…呼気流路、２５…素子収容部、２７…排出流路、２７ａ…第１排出流路、２７ｂ…第２排出流路、３１…ストロー部材、３３…装着部、３５ａ…第１排出口、３５ｂ…第２排出口、３７…開口部、４１…第１面、４３…第２面、６０…管理システム、６１…外部機器、７１…管理装置、１０１…第２呼気センサ、１１３…第２筐体、１２５…第２素子収容部、１３７…第２開口部、２０１…第３呼気センサ、２１３…第３筐体、２２５…第３素子収容部、２２６…換気口。
【図１】
2015219148.tif 000003
【図２】
2015219148.tif 000004
【図３】
2015219148.tif 000005
【図４】
2015219148.tif 000006
【図５】
2015219148.tif 000007
【図６】
2015219148.tif 000008